(57)【要約】本発明の位置態様に係る健康管理方法は、複数の動物の健康を管理する健康管理システムにおける健康管理方法であって、複数の動物のそれぞれについて、複数の計測端末のうちで当該動物に対応する動物用計測端末が当該動物の生体情報を計測する計測ステップと、複数の動物のそれぞれについて、計測ステップにおいて計測された当該動物の生体情報を取得する取得ステップと、複数の動物のそれぞれについて、取得ステップにおいて取得した複数の動物の生体情報に基づいて複数の動物の標準的な健康状態を示す動物用健康情報を生成する生成ステップと、複数の動物のそれぞれについて、生成ステップにおいて生成された動物用健康情報と、計測ステップにおいて計測された当該動物の生体情報とを比較することにより、当該動物の健康状態を評価する評価ステップと、評価ステップにおいて評価された当該動物の健康状態の評価結果を表示部に表示する表示ステップと、を含む。
2014050118.tif 000002
【特許請求の範囲】
【請求項１】
複数の動物の健康を管理する健康管理システムにおける健康管理方法であって、
前記複数の動物のそれぞれについて、複数の計測端末のうちで当該動物に対応する動物用計測端末が当該動物の生体情報を計測する計測ステップと、
前記複数の動物のそれぞれについて、前記計測ステップにおいて計測された当該動物の生体情報を取得する取得ステップと、
前記複数の動物のそれぞれについて、前記取得ステップにおいて取得した前記複数の動物の生体情報に基づいて前記複数の動物の標準的な健康状態を示す動物用健康情報を生成する生成ステップと、
前記複数の動物のそれぞれについて、前記生成ステップにおいて生成された前記動物用健康情報と、前記計測ステップにおいて計測された当該動物の生体情報とを比較することにより、当該動物の健康状態を評価する評価ステップと、
前記評価ステップにおいて評価された当該動物の健康状態の評価結果を表示部に表示する表示ステップと、を含む
健康管理方法。
【請求項２】
前記計測ステップでは、前記複数の動物のそれぞれについて、前記計測端末が当該動物の生体情報を、予め定められたタイミングで計測し、
前記健康管理方法は、さらに、
前記生成ステップにおいて生成された前記動物用健康情報を、前記計測ステップで計測された前記複数の動物の生体情報のうちで最新の生体情報に基づいて更新する更新ステップを含む
請求項１に記載の健康管理方法。
【請求項３】
前記計測ステップでは、さらに、複数のヒトのそれぞれについて、前記複数の計測端末のうちで当該ヒトに対応するヒト用計測端末が当該ヒトの生体情報を計測し、
前記取得ステップでは、さらに、前記複数のヒトのそれぞれについて、前記計測ステップにおいて計測された当該ヒトの生体情報を取得し、
前記生成ステップでは、さらに、前記取得ステップにおいて取得した前記複数のヒトの生体情報に基づいて前記複数のヒトの標準的な健康状態を示すヒト用健康情報を生成し、
前記評価ステップでは、さらに、前記複数のヒトのそれぞれについて、前記生成ステップにおいて生成された前記ヒト用健康情報と、前記計測ステップにおいて計測された当該ヒトの生体情報とを比較することにより、当該ヒトの健康状態を評価し、
前記表示ステップでは、さらに、前記評価ステップにおいて評価された当該ヒトの健康状態の評価結果を表示部に表示する
請求項１または２に記載の健康管理方法。
【請求項４】
さらに、
前記計測ステップにより計測された前記動物の生体情報および前記ヒトの生体情報に基づいて、前記動物の健康状態および前記ヒトの健康状態を向上させるための提案情報を生成し、当該提案情報を前記ヒトに提示する提案ステップを含む
請求項３に記載の健康管理方法。
【請求項５】
さらに、
前記計測ステップにおいて計測された当該動物の生体情報から当該動物の活動量を算出し、かつ、前記計測ステップにおいて計測された当該ヒトの生体情報から前記ヒトの活動量を算出する算出ステップを含み、
前記提案ステップでは、前記提案情報として、前記動物の活動量および前記ヒトの活動量に応じた距離の散歩ルートを生成し、前記ヒトに提示する
請求項４に記載の健康管理方法。
【請求項６】
前記計測ステップでは、さらに、前記複数の動物のそれぞれについて、前記動物用計測端末が、前記動物の生体情報を計測したタイミングにおける当該動物の位置を計測し、
前記取得ステップでは、さらに、前記複数の動物のそれぞれについて、前記計測ステップにおいて計測された当該動物の位置を示す位置情報を取得し、
前記健康管理方法は、さらに、
前記計測ステップにおいて計測された前記動物の生体情報に基づいて、前記動物が喜んでいる状態であるか否かを判断する判断ステップを含み、
前記提案ステップでは、前記動物が喜んでいる状態であると判断されたときの前記動物の生体情報が計測されたタイミングにおける位置情報に基づいて、当該位置情報が示す位置を含む散歩ルートを生成し、前記ヒトに提案する
請求項４または５に記載の健康管理方法。
【請求項７】
前記生成ステップでは、前記ヒト用健康情報を、年齢および性別の少なくとも１つに応じて複数の項目に分類して生成し、
前記評価ステップでは、前記複数のヒトのそれぞれについて、前記生成ステップにおいて生成された前記ヒト用健康情報のうちの前記複数の項目のうちで、当該ヒトが該当する項目に分類されているヒト用健康情報と、前記計測ステップにおいて計測された当該ヒトの生体情報とを比較することにより、当該ヒトの健康状態を評価する
請求項３から６のいずれか１項に記載の健康管理方法。
【請求項８】
前記生成ステップでは、前記動物用健康情報を、前記動物の種類、年齢、および性別の少なくとも１つに応じて複数の項目に分類して生成し、
前記評価ステップでは、前記複数の動物のそれぞれについて、前記生成ステップにおいて生成された前記動物用健康情報のうちの前記複数の項目のうちで、当該動物が該当する項目に分類されている動物用健康情報と、前記計測ステップにおいて計測された当該動物の生体情報とを比較することにより、当該動物の健康状態を評価する
請求項１から７のいずれか１項に記載の健康管理方法。
【発明の詳細な説明】
【技術分野】
【０００１】
本発明は、計測器を利用した健康管理システムに関するものであり、特にユーザおよびユーザの所有物であるペット等に関する健康状態の管理を行うための健康管理方法に関する。
【背景技術】
【０００２】
従来のペットの健康管理システムにおいては、ペットに各種センサーを取り付け、体温、心拍数、運動量などを計測し、計測結果をホームサーバの健康判断用データベースと比較して、健康であるか否かを判断するものがある（例えば、特許文献１参照）。
【先行技術文献】
【特許文献】
【０００３】
【特許文献１】特開２００６−４２６７０号公報
【発明の概要】
【発明が解決しようとする課題】
【０００４】
しかしながら、特許文献１の技術では、ペット（動物）が健康であるか否かを精度よく判断できないという問題がある。【０００５】
そこで、本発明の目的は、かかる問題に鑑みてなされたものであって、動物が健康であるか否かを精度よく判定できる健康管理方法を提供することにある。
【課題を解決するための手段】
【０００６】
上記目的を達成するために、本発明の一態様に係る健康管理方法は、複数の動物の健康を管理する健康管理システムにおける健康管理方法であって、前記複数の動物のそれぞれについて、複数の計測端末のうちで当該動物に対応する動物用計測端末が当該動物の生体情報を計測する計測ステップと、前記複数の動物のそれぞれについて、前記計測ステップにおいて計測された当該動物の生体情報を取得する取得ステップと、前記複数の動物のそれぞれについて、前記取得ステップにおいて取得した前記複数の動物の生体情報に基づいて前記複数の動物の標準的な健康状態を示す動物用健康情報を生成する生成ステップと、前記複数の動物のそれぞれについて、前記生成ステップにおいて生成された前記動物用健康情報と、前記計測ステップにおいて計測された当該動物の生体情報とを比較することにより、当該動物の健康状態を評価する評価ステップと、前記評価ステップにおいて評価された当該動物の健康状態の評価結果を表示部に表示する表示ステップと、を含む。【０００７】
これによれば、複数の動物のそれぞれについて計測した生体情報から動物用健康情報を生成し、動物用健康情報と当該動物の生体情報とを比較することにより当該動物の健康状態を評価するため、当該動物の健康状態を精度よく評価することができる。【０００８】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本発明の健康管理方法は、動物が健康であるか否かを精度よく判定できる。
【図面の簡単な説明】
【００１０】
【図１】図１は、実施の形態１における健康管理システムの概念図である。
【図２】図２は、実施の形態１における計測端末の構成の要部を示すブロック図である。
【図３】図３は、実施の形態１における通信端末の構成の要部を示すブロック図である。
【図４】図４は、実施の形態１における健康管理サーバの構成の要部を示すブロック図である。
【図５】図５は、実施の形態１におけるＩＤ管理方法の一例を示す図である。
【図６】図６は、実施の形態１における計測端末の計測処理を示すフローチャートである。
【図７】図７は、実施の形態１における計測端末と通信端末の通信処理を示すフローチャートである。
【図８】図８は、実施の形態１における通信端末と健康管理サーバの通信処理を示すフローチャートである。
【図９】図９は、実施の形態１における通信端末に表示される健康情報の画面の一例である。
【図１０】図１０は、実施の形態１における通信端末に表示される健康情報の画面の他の一例である。
【図１１】図１１は、実施の形態１における標準健康情報の更新処理を示すフローチャートである。
【図１２】図１２は、実施の形態１におけるマイクロチップおよび計測端末の要部を示すブロック図である。
【図１３】図１３は、実施の形態１におけるチップＩＤを利用したＩＤ管理方法の一例を示す図である。
【図１４】図１４は、実施の形態１における代行登録を行うためのＩＤ管理方法の一例を示す図である。
【図１５】図１５は、実施の形態１における獣医ＩＤを含めたＩＤ管理方法の一例を示す図である。
【図１６】図１６は、実施の形態１における保険会社ＩＤを含めたＩＤ管理方法の一例を示す図である。
【図１７】図１７は、実施の形態１における健康管理サーバの変形例の構成を示すブロック図である。
【図１８】図１８は、実施の形態１における健康管理方法の処理の流れを示すフローチャートである。
【図１９】図１９は、実施の形態２における健康管理システムの概念図である。
【図２０】図２０は、実施の形態２におけるペット用計測端末の構成の要部を示すブロック図である。
【図２１】図２１は、実施の形態２におけるヒト用計測端末の構成の要部を示すブロック図である。
【図２２】図２２は、実施の形態２における通信端末の構成の要部を示すブロック図である。
【図２３】図２３は、実施の形態２における健康管理サーバの構成の要部を示すブロック図である。
【図２４】図２４は、実施の形態２におけるＩＤ管理方法の一例を示す図である。
【図２５】図２５は、実施の形態２における提案情報の生成処理を示すフローチャートである。
【図２６】図２６は、実施の形態２における通信端末に表示される提示情報の画面の一例である。
【図２７】図２７は、実施の形態２における通信端末に表示される提示情報の画面の他の一例である。
【図２８】図２８は、実施の形態２における通信端末に表示される提示情報の画面の他の一例である。
【図２９】図２９は、実施の形態２における通信端末に表示される提示情報の画面の他の一例である。
【図３０】図３０は、従来のペット健康管理システムの構成図である。
【発明を実施するための形態】
【００１１】
（本発明の基礎となった知見）
本発明者は、「背景技術」の欄において記載した、健康管理システムに関し、以下の問題が生じることを見出した。
【００１２】
図３０は、特許文献１に記載された従来のペット健康管理システムの概要を示すものである。
【００１３】
図３０において、ペットに装着した計測装置２３０１の計測手段２３０２がペットの体温、心拍数、呼吸数、歩数、運動量、行動範囲、食事量、排便量、食事時間、水分補給量、水分補給時間、位置、および、臭いを示す情報のうち少なくとも１つの情報を含むペット状態情報を取得する。計測手段２３０２が取得したペット状態情報は、ペット情報取得装置２３０４を介してホームサーバ２３０７に送信され、第１ペット健康管理データベース２３０９に登録される。さらに、ホームサーバ２３０７に登録されたペット状態情報は、ペット健康管理判断装置２３１２に送信され、第２ペット健康管理データベース２３１４に登録される。そして、ペット健康管理アプリケーション２３１３が、ペット状態情報とペット健康知識データベース２３１６に保持されているペットの健康知識情報と比較して、ペットが健康であるか否かを判断するということを実現している。
【００１４】
しかしながら、前記従来の構成では、ペット情報取得装置２３０４やホームサーバ２３０７が家庭内にある必要があり、外出先でユーザがペット状態情報をペット健康管理判断装置に登録することが難しく、また、ペットを預かった代行者がペット状態情報をペット健康管理判断装置に登録することが難しいという課題を有していた。また、複数のペットを飼っていた場合に、各ペットの区別を行う手段は開示されておらず、ペット状態情報を間違って登録してしまう可能性があるという課題を有していた。さらに、ホームサーバ２３０７には自分が飼っているペットのペット状態情報のみが蓄積されるため、ペット状態情報が偏ってしまうおそれがあり、これによりペット（動物）が健康であるか否かを精度よく判断できないという課題を有していた。
【００１５】
このような問題を解決するために、本発明の一態様に係る健康管理方法は、複数の動物の健康を管理する健康管理システムにおける健康管理方法であって、前記複数の動物のそれぞれについて、複数の計測端末のうちで当該動物に対応する動物用計測端末が当該動物の生体情報を計測する計測ステップと、前記複数の動物のそれぞれについて、前記計測ステップにおいて計測された当該動物の生体情報を取得する取得ステップと、前記複数の動物のそれぞれについて、前記取得ステップにおいて取得した前記複数の動物の生体情報に基づいて前記複数の動物の標準的な健康状態を示す動物用健康情報を生成する生成ステップと、前記複数の動物のそれぞれについて、前記生成ステップにおいて生成された前記動物用健康情報と、前記計測ステップにおいて計測された当該動物の生体情報とを比較することにより、当該動物の健康状態を評価する評価ステップと、前記評価ステップにおいて評価された当該動物の健康状態の評価結果を表示部に表示する表示ステップと、を含む。
【００１６】
これによれば、複数の動物のそれぞれについて計測した生体情報から動物用健康情報を生成し、動物用健康情報と当該動物の生体情報とを比較することにより当該動物の健康状態を評価するため、当該動物の健康状態を精度よく評価することができる。
【００１７】
例えば、前記計測ステップでは、前記複数の動物のそれぞれについて、前記計測端末が当該動物の生体情報を、予め定められたタイミングで計測し、前記健康管理方法は、さらに、前記生成ステップにおいて生成された前記動物用健康情報を、前記計測ステップで計測された前記複数の動物の生体情報のうちで最新の生体情報に基づいて更新する更新ステップを含んでもよい。
【００１８】
これによれば、動物用健康情報を最新の生体情報に基づいて更新するため、計測対象となった動物の健康状態を精度よく評価することができる。
【００１９】
例えば、前記計測ステップでは、さらに、複数のヒトのそれぞれについて、前記複数の計測端末のうちで当該ヒトに対応するヒト用計測端末が当該ヒトの生体情報を計測し、前記取得ステップでは、さらに、前記複数のヒトのそれぞれについて、前記計測ステップにおいて計測された当該ヒトの生体情報を取得し、前記生成ステップでは、さらに、前記取得ステップにおいて取得した前記複数のヒトの生体情報に基づいて前記複数のヒトの標準的な健康状態を示すヒト用健康情報を生成し、前記評価ステップでは、さらに、前記複数のヒトのそれぞれについて、前記生成ステップにおいて生成された前記ヒト用健康情報と、前記計測ステップにおいて計測された当該ヒトの生体情報とを比較することにより、当該ヒトの健康状態を評価し、前記表示ステップでは、さらに、前記評価ステップにおいて評価された当該ヒトの健康状態の評価結果を表示部に表示してもよい。
【００２０】
これによれば、動物の他に、複数のヒトのそれぞれについて計測した生態情報からヒト用健康情報を生成し、ヒト用健康情報と当該ヒトの生態情報とを比較することにより当該ヒトの健康状態を評価するため、当該ヒトの健康状態を精度よく評価することができる。
【００２１】
例えば、さらに、前記計測ステップにより計測された前記動物の生体情報および前記ヒトの生体情報に基づいて、前記動物の健康状態および前記ヒトの健康状態を向上させるための提案情報を生成し、当該提案情報を前記ヒトに提示する提案ステップを含んでもよい。
【００２２】
これによれば、動物およびヒトの健康状態を向上させるための提案情報をヒトに提示するため、当該提案情報に基づいた活動を動物およびヒトがともに行うことができる。
【００２３】
例えば、さらに、前記計測ステップにおいて計測された当該動物の生体情報から当該動物の活動量を算出し、かつ、前記計測ステップにおいて計測された当該ヒトの生体情報から前記ヒトの活動量を算出する算出ステップを含み、前記提案ステップでは、前記提案情報として、前記動物の活動量および前記ヒトの活動量に応じた距離の散歩ルートを生成し、前記ヒトに提示してもよい。
【００２４】
これによれば、例えばその日の活動量に応じて、散歩ルートの距離が最適な距離に変更されるため、ユーザは、自分および動物の活動量が最適な活動量になるような運動を行うことが容易にできる。
【００２５】
例えば、前記計測ステップでは、さらに、前記複数の動物のそれぞれについて、前記動物用計測端末が、前記動物の生体情報を計測したタイミングにおける当該動物の位置を計測し、前記取得ステップでは、さらに、前記複数の動物のそれぞれについて、前記計測ステップにおいて計測された当該動物の位置を示す位置情報を取得し、前記健康管理方法は、さらに、前記計測ステップにおいて計測された前記動物の生体情報に基づいて、前記動物が喜んでいる状態であるか否かを判断する判断ステップを含み、前記提案ステップでは、前記動物が喜んでいる状態であると判断されたときの前記動物の生体情報が計測されたタイミングにおける位置情報に基づいて、当該位置情報が示す位置を含む散歩ルートを生成し、前記ヒトに提案してもよい。
【００２６】
これによれば、動物が喜んでいた位置を含むように散歩ルートを提案するため、動物の好みに適した散歩ルートで散歩することが容易にできる。
【００２７】
例えば、前記生成ステップでは、前記ヒト用健康情報を、年齢および性別の少なくとも１つに応じて複数の項目に分類して生成し、前記評価ステップでは、前記複数のヒトのそれぞれについて、前記生成ステップにおいて生成された前記ヒト用健康情報のうちの前記複数の項目のうちで、当該ヒトが該当する項目に分類されているヒト用健康情報と、前記計測ステップにおいて計測された当該ヒトの生体情報とを比較することにより、当該ヒトの健康状態を評価してもよい。また、例えば、前記生成ステップでは、前記動物用健康情報を、前記動物の種類、年齢、および性別の少なくとも１つに応じて複数の項目に分類して生成し、前記評価ステップでは、前記複数の動物のそれぞれについて、前記生成ステップにおいて生成された前記動物用健康情報のうちの前記複数の項目のうちで、当該動物が該当する項目に分類されている動物用健康情報と、前記計測ステップにおいて計測された当該動物の生体情報とを比較することにより、当該動物の健康状態を評価してもよい。
【００２８】
これによれば、動物またはヒトのタイプ別に標準的な健康状態が生成されているため、動物またはヒトのタイプに適した健康状態を判定することができる。これにより、動物およびヒトが健康であるか否かを精度よく判定することができる。
【００２９】
なお、これらの全般的または具体的な態様は、システム、方法、集積回路、コンピュータプログラムまたはコンピュータ読み取り可能なＣＤ−ＲＯＭなどの記録媒体記録媒体で実現されてもよく、システム、方法、集積回路、コンピュータプログラムまたは記録媒体の任意な組み合わせで実現されてもよい。
【００３０】
以下本発明の実施の形態について、図面を参照しながら具体的に説明する。
【００３１】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３２】
（実施の形態１）
図１は、本発明の実施の形態１における健康管理システムの要部を示すブロック図である。
【００３３】
（健康管理システムの構成）
図１に示すように、本実施の形態における健康管理システム１００は、複数の計測端末３０と、複数の通信端末２０と、健康管理サーバ１０とを含む。複数の計測端末３０のそれぞれは、計測対象となるペット（動物）の生体情報または行動履歴を計測データとして取得し、取得した計測データを通信端末２０に送信する。複数の通信端末２０のそれぞれは、計測端末３０から受信した計測データを、インターネットを介して健康管理サーバ１０に送信する。健康管理サーバ１０は、複数の通信端末２０から受信した計測データから健康状態を判断し、判断した健康状態を示す健康情報を通信端末２０に通知する。
【００３４】
それぞれの構成要素について、さらに説明する。
【００３５】
（計測端末）
図２は計測端末３０の構成の要部を示すブロック図である。
【００３６】
図２に示すように、計測端末３０は、計測端末ＩＤ記憶部３０１と、計測部３０３と、計測情報記憶部３０２と、計測情報通信部３０４と、計測管理部３０５とを備える。
【００３７】
計測端末ＩＤ記憶部３０１は、計測端末３０を識別するための計測端末ＩＤを記憶している。計測部３０３は、ペットの生体情報または行動履歴を計測データとして計測することにより取得する。計測情報記憶部３０２は、計測部３０３によって計測された計測データを記憶する。計測情報通信部３０４は、通信端末２０と通信を行い、計測情報記憶部３０２に記憶された計測データを通信端末２０に送信する。計測管理部３０５は、計測部３０３がペットの生体情報または行動履歴を計測するための計測タイミングを管理する。また、必要に応じて、計測管理部３０５の計測タイミングを計るためのタイマー部（図示せず）を備えてもよい。
【００３８】
計測部３０３は、体温、心拍数、呼吸数、体重、歩数、活動量、位置、泣き声、臭い、脳波、身体の特定箇所の動作情報（例えば尻尾や首の振り方）、血液成分、および体毛成分などを示す生体情報のうち少なくとも１つの生体情報を計測データとして取得する。計測部３０３は、図中では１つだが、取得する情報の種類に応じて１つの計測端末３０に複数設置されてもよく、また、計測端末３０を１ペットに複数利用してもよく、さらに、計測端末３０を物理的に複数の部品から構成してもよい。つまり、計測端末３０は、複数のペットのそれぞれについて、少なくとも１以上が対応して当該ペットの生体情報を計測できるように、ペットに装着されている。要するに、複数のペットのそれぞれについて、複数の計測端末３０のうちで当該ペットに対応する動物用計測端末が、当該動物の生体情報を計測する。
【００３９】
計測管理部３０５が管理する計測タイミングは、通信端末２０もしくは健康管理サーバ１０からの指示を受信した際、常時、所定の時刻、所定の時間間隔、および所定の場所に移動した場合で示されるタイミングのうちの少なくとも１つで決定されてもよい。つまり、計測端末３０では、複数のペットのそれぞれについて、計測端末３０が当該ペットの生体情報を、予め定められたタイミングで計測する。
【００４０】
また、計測管理部３０５が管理する計測タイミングは、計測部３０３がある種類の計測データを取得した場合に、他の種類の計測データを計測する、ある種類の計測データが所定の閾値を超えた場合に、他の種類の計測データを計測するなどしてもよい。また、計測端末３０の計測情報通信部３０４が計測タイミングの決定アルゴリズムを通信端末２０あるいは健康管理サーバ１０から受信して、そのアルゴリズムにしたがって計測を実施するようにしてもよい。
【００４１】
計測情報通信部３０４は、ＵＳＢ、イーサネット（登録商標）などの有線接続通信、無線ＬＡＮ、Ｂｌｕｅｔｏｏｔｈ（登録商標）などの無線接続通信、３Ｇ、ＬＴＥなどの電話回線通信、ＩＣカードやスマートフォンなどに利用されている接触型通信、非接触型通信、ＮＦＣなどの近距離通信などが利用可能であり、特に限定されるものではない。また、計測情報通信部３０４は、少なくとも計測端末ＩＤ記憶部３０１に記憶されている計測端末ＩＤと計測情報記憶部３０２に記憶されている計測データとを通信端末２０に送信する。
【００４２】
計測端末３０は、首輪タイプ、首輪に取り付けるタイプ、頭、耳、尻尾、背中、四肢など体の一部に装着するタイプ、体内に埋め込むタイプなどペットの近傍で利用する形態が考えられるが、これに特化するものではない。また、ペットがよく利用する場所や器具に備え付けられてもよい。
【００４３】
（通信端末）
図３は通信端末２０の構成の要部を示すブロック図である。
【００４４】
図３に示すように、通信端末２０は、計測情報取得部２０２と、通信部２０３と、記憶部２０４と、入力部２０５と、表示部２０１とを備える。
【００４５】
計測情報取得部２０２は、計測端末３０から送信された計測データなどを受信する。通信部２０３は、健康管理サーバ１０と通信を行い、計測情報取得部２０２により取得された計測データ、健康情報（後述参照）などの各情報の送受信を行う。記憶部２０４は、健康管理サーバ１０から発行されたユーザＩＤや、計測データ、健康情報などを保持する。入力部２０５は、ペットやその飼い主の情報を受け付ける。表示部２０１は、計測データ、健康情報などを表示する。また、表示部２０１は、ペットの健康状態の評価結果（後述参照）を表示してもよい。また、図示しない撮影部を備えてもよい。
【００４６】
通信端末２０は携帯電話やスマートフォンなどユーザが日常的に利用するものが望ましいが、計測端末３０および健康管理サーバ１０との間で情報の送受信を行うための専用の端末としてもよい。また、ペットがよく利用する場所や器具に備え付けられていてもよい。
【００４７】
計測情報取得部２０２は、計測端末３０の計測情報通信部３０４の通信方法に対応する方法であればよく、前述した通信方法が利用可能であるが、これに特化するものではない。
【００４８】
通信部２０３は、記憶部に記憶されている計測端末ＩＤ、計測データとともにユーザＩＤを健康管理サーバ１０に送信する。
【００４９】
つまり、複数のペットのそれぞれについて、複数の通信端末２０のうちで動物用計測端末に対応する対応通信端末が当該動物用計測端末により計測された当該動物の生体情報を取得する。そして、当該対応通信端末は、取得した当該ペットの生体情報を健康管理サーバ１０に送信する。
【００５０】
（健康管理サーバ）
図４は健康管理サーバ１０の構成の要部を示すブロック図である。
【００５１】
図４に示すように、健康管理サーバ１０は、通信部１０４と、ＩＤ発行部１０５と、ＩＤ管理部１０１と、記憶部１０３と、標準健康情報生成部１０７と、計測情報解析部１０２と、標準健康情報更新部１０６とを備える。
【００５２】
通信部１０４は、通信端末２０から送信された計測端末ＩＤ、計測データ、ユーザＩＤなどを受信し、健康情報などを通信端末２０に送信する。
【００５３】
ＩＤ発行部１０５は、健康管理サーバ１０を利用することを希望するユーザにユーザＩＤを発行する。
【００５４】
ＩＤ管理部１０１は、ユーザＩＤと計測端末ＩＤとの関係を管理する。
【００５５】
記憶部１０３は、通信部１０４により受信された計測データをペット（つまり後述するペットＩＤ）ごとに記憶（蓄積）する。記憶部１０３はまた、標準健康情報生成部１０７により生成された動物用健康情報（後述参照）を記憶する。
【００５６】
標準健康情報生成部１０７は、ペットの健康状態の評価の基準となる動物用健康情報を生成する。つまり、標準健康情報生成部１０７は、複数のペットのそれぞれについて対応通信端末により送信された当該ペットの生体情報を示す計測データを取得する。そして、標準健康情報生成部１０７は、取得した複数のペットの計測データに基づいて複数の動物の標準的な健康情報を示す動物用健康情報（ペットの標準健康情報）を生成する。
【００５７】
計測情報解析部１０２は、標準健康情報生成部１０７で生成された動物用健康情報と、ペット毎の計測データを解析して、解析の結果として当該ペットの健康状態を示す健康情報を生成する。つまり、計測情報解析部１０２は、複数のペットのそれぞれについて、標準健康情報生成部１０７で生成されたペットの標準健康情報と、記憶部１０３に記憶された当該ペットの計測データとを比較することにより、当該ペットの健康状態を評価する。これにより、計測情報解析部１０２は、当該ペットの健康状態の評価結果を生成する。
【００５８】
標準健康情報更新部１０６は、記憶部１０３に記憶されている計測データをもとに、標準健康情報生成部１０７の標準健康情報の更新を行う。つまり、標準健康情報更新部１０６は、標準健康情報生成部１０７により生成された動物用健康情報を、計測端末３０により計測された複数のペットの計測データのうちで最新の計測データに基づいて更新する。
【００５９】
なお、計測端末３０によるペットの生体情報の計測タイミングの決定アルゴリズムを健康管理サーバ１０から送信する場合には、健康管理サーバ１０に、さらに計測タイミング生成部を設けてもよい。この場合、計測タイミング生成部は計測データ、標準健康情報などをもとに計測タイミングの決定アルゴリズムを生成し、その決定アルゴリズムを計測端末３０に送信する。
【００６０】
なお、「動物用健康情報」とはペットの標準的な健康状態を示す情報であり、健康状態を評価するための基準となる情報である。例えば犬の場合、平常時の体温は小型犬で３８．６〜３９．２度、大型犬では３７．５〜３８．６度、脈拍数は小型犬で毎分６０〜１２０回、大型犬で毎分６０〜８０回、呼吸数は小型犬で毎分２０〜３０回、大型犬で毎分１０〜１５回など、健康の指針となる生体情報が含まれる。また、平常時の情報以外にも、緊張、興奮、喜怒哀楽などの感情情報と生体情報との相関関係、泣き声のパターンと生体情報との相関関係など、生体情報および感情情報の相関関係も含まれる。また、病気やその兆候情報なども管理されている。また、例えばダックスフンドならヘルニアにかかりやすいなど、特定の血統別の情報なども管理されている。またペットの種類、血統、年齢、性別、体重、地域、位置情報、季節、天候、時間帯などとともに健康の基準となる生体情報、感情情報などが管理されていてもよい。
【００６１】
つまり、標準健康情報生成部１０７は、動物用健康情報を、ペットの種類、血統、年齢、性別、体重、地域、位置情報、季節、天候、時間帯などの少なくとも１つに応じて複数の項目に分類して生成してもよい。この場合、計測情報解析部１０２は、複数のペットのそれぞれについて、標準健康情報生成部１０７により生成された動物用健康情報のうちの複数の項目のうちで、当該ペットが該当する項目に分類されている動物用健康情報と、記憶部１０３に記憶された当該ペットの計測データとを比較することにより、当該ペットの健康状態を評価してもよい。
【００６２】
図５はＩＤ管理部１０１におけるユーザＩＤと計測端末ＩＤとの管理の一例を示す図である。
【００６３】
図５の例では、計測端末ＩＤ＝「１００１」にユーザＩＤ＝「１」および「２」がリンクされており、計測端末ＩＤ＝「１００１」の固有の計測データおよび健康情報はユーザＩＤ＝「１」および「２」を使用するユーザのみが参照または登録可能である。同様に計測端末ＩＤ＝「２００１」および「３００１」にユーザＩＤ＝「３」、「４」および「５」がリンクされており、計測端末ＩＤ＝「２００１」および「３００１」の固有の計測データおよび健康情報はユーザＩＤ＝「３」、「４」および「５」を使用するユーザのみが参照または登録可能である。
【００６４】
ユーザＩＤは健康管理サーバ１０を利用するユーザを特定するためのＩＤであり、ユーザの連絡先、メールアドレス、氏名、ニックネームなどと紐付いたユーザ情報としてＩＤ管理部１０１により管理されている。つまり、ユーザ情報は、ＩＤ管理部１０１に記憶されている。
【００６５】
またペットＩＤは健康管理サーバ１０内の内部管理用ＩＤであり、ペットの個体を識別するために利用するＩＤである。ユーザが新しいペットの種類、血統、生年月日、性別、名前などの情報を健康管理サーバ１０に登録した際に、ＩＤ発行部１０５によりペットＩＤが発行され、ペットＩＤと計測端末ＩＤとの関係を管理する。計測端末３０の故障や、ペット１体に対して複数の計測端末３０を利用するユーザがいることも想定し、ペットＩＤと計測端末ＩＤは１対Ｎでリンク関係を管理することを可能とする。ペットＩＤはペット１体に１つだけ発行されるものであるため、計測端末ＩＤとともに受信した計測データや健康情報はペットＩＤにリンクして管理される。なお、図５に示すように、ユーザ情報は、ユーザＩＤ、計測端末ＩＤおよびペットＩＤが関連付けられた情報であってもよい。また、ユーザ情報とは別に、ペットＩＤと計測端末ＩＤとが関連付けられたペット情報としてＩＤ管理部１０１に管理（記憶）されてもよい。
【００６６】
（計測処理）
次に計測端末３０における計測処理について図６のフローチャートを利用して説明する。
【００６７】
まず、計測管理部３０５が計測タイミングか否かを判断し、計測タイミングであると判断した場合は、ステップＳ６０２に遷移する（ステップＳ６０１）。
【００６８】
計測タイミングについては上述の通りである。
【００６９】
次に、計測管理部３０５が計測部３０３に計測を指示し、計測部３０３が計測対象の生体情報、行動履歴などを計測データとして取得し、ステップＳ６０３に遷移する（ステップＳ６０２）。
【００７０】
計測情報記憶部３０２が、取得した計測データを記憶し、終了する（ステップＳ６０３）。
【００７１】
以上のような処理により、計測端末３０は計測対象の計測データを記憶する。
【００７２】
（計測データ送信処理）
次に計測端末３０から通信端末２０を介して健康管理サーバ１０に計測データを送信する処理（以下、「計測データ送信処理」という）について図７および図８のフローチャートを利用して説明する。
【００７３】
まず、通信端末２０は、計測データ送信処理を開始するか否かを判断し、開始すると判断した場合にステップＳ７０２に遷移する（ステップＳ７０１）。
【００７４】
このときの判断の方法としては、以下のいずれかの方法により可能であるが、これに特化するものではなく他の方法でもよい。
【００７５】
つまり、ステップＳ７０１で行われる計測データ送信処理の開始は、通信端末２０が起動された場合であってもよいし、入力部２０５で、ユーザにより開始が指示された場合であってもよいし、通信端末２０および計測端末３０が同一ＬＡＮ内に入ったと判定された場合であってもよいし、通信端末２０が計測端末３０に一定距離以内に近づいたと判定された場合であってもよいし、通信端末２０および計測端末３０が直接計測データを通信できる距離に近づいたと判定された場合であってもよいし、所定の時刻に到達した場合であってもよいし、前回送信してから所定時間経過した場合であってもよい。
【００７６】
ステップＳ７０１で、計測データ送信処理を開始すると判断された場合、通信端末２０の計測情報取得部２０２が、関連付けられている計測端末３０の計測情報通信部３０４に計測データの送信を要求する（ステップＳ７０２）。
【００７７】
次に、計測情報通信部３０４が計測端末ＩＤおよび計測データを、通信端末２０の計測情報取得部２０２に送信する（ステップＳ７０３）。
【００７８】
次に、計測情報取得部２０２が受信した計測端末ＩＤおよび計測データを記憶部２０４に記憶する（ステップＳ７０４）。
【００７９】
次に、通信端末２０の通信部２０３が記憶部２０４に記憶した計測データを健康管理サーバ１０に送信する健康管理サーバ通信処理を行って、計測データ送信処理を終了する（ステップＳ７０５）。
【００８０】
図８はステップＳ７０５の健康管理サーバ通信処理をより具体的に示すフローチャートである。
【００８１】
まず、通信端末２０の通信部２０３が、ユーザＩＤとステップＳ７０４で記憶部２０４に記憶した計測端末ＩＤと計測データとを健康管理サーバ１０に送信する（ステップＳ８０１）。
【００８２】
次に、健康管理サーバ１０の通信部１０４がユーザＩＤ、計測端末ＩＤおよび計測データを受信する（ステップＳ８０２）。
【００８３】
次に、受信したユーザＩＤと計測端末ＩＤとの組み合わせがＩＤ管理部１０１で管理されているものと一致すればステップＳ８０４に遷移し、一致しなければステップＳ８０９に遷移する（ステップＳ８０３）。
【００８４】
ステップＳ８０３でユーザＩＤと計測端末ＩＤとの組み合わせが正しいと判断された場合、記憶部１０３に計測データを記憶する（ステップＳ８０４）。
【００８５】
次に、計測情報解析部１０２が、計測データと標準健康情報生成部１０７で生成された標準健康情報とを比較し、計測端末ＩＤに紐付けられたペットＩＤのペットの健康状態を評価した結果である健康情報を生成し、当該健康情報を記憶部１０３に記憶する（ステップＳ８０５）。
【００８６】
次に、通信部１０４が、計測情報解析部１０２により生成された健康情報を通信端末２０の通信部２０３に送信する（ステップＳ８０６）。
【００８７】
次に、通信部２０３が、通信部２０３により送信された健康情報を受信し、記憶部２０４に保持する（ステップＳ８０７）。
【００８８】
次に、表示部２０１が、記憶部２０４に保持した健康情報を表示して終了する（ステップＳ８０８）。
【００８９】
また、ステップＳ８０３でユーザＩＤと計測端末ＩＤとの組み合わせが正しくないと判断された場合、健康管理サーバ１０の通信部１０４が通信端末２０の通信部２０３にエラーを通知する（ステップＳ８０９）。
【００９０】
次に、表示部２０１がエラーを表示して終了する（ステップＳ８１０）。
【００９１】
ステップＳ８０５における計測情報解析部１０２の解析方法について以下説明する。ただしこれに特化するものではなく、計測データと標準健康情報とを利用して健康情報を生成するのであれば、いかなる方法も利用可能である。
【００９２】
まず、以下のいずれかの情報もしくはその組み合わせにより、標準健康情報生成部１０７は、計測データと比較する基準となる標準健康情報を生成する。
【００９３】
つまり、標準健康情報は、計測情報解析部１０２が、計測端末ＩＤに紐付くペットＩＤに登録されたペットの種類、血統、生年月日から算出される年齢を含んでもよいし、記憶部１０３に記憶されている計測データに含まれる最新の体重を含んでもよいし、最新の計測データに含まれる位置情報およびそれをもとにした地域情報を含んでもよいし計測データを計測したときの季節および時間帯を含んでもよいし、計測データを計測したときの天候を含んでもよい。
【００９４】
次に、計測情報解析部１０２は、以下のいずれかの方法もしくはその組み合わせにより、計測データと上記で取得した標準健康情報をもとに解析し、健康情報を生成する。
【００９５】
つまり、計測情報解析部１０２は、計測データに含まれる生体情報または行動履歴の値が標準健康情報の正常な範囲内にあるかどうかを示す健康情報を生成してもよい。また、計測情報解析部１０２は、ペット自身の過去の計測データの値と最新の計測データとを比較し、所定の閾値の変動に収まっているかを示す健康情報を生成してもよい。また、計測情報解析部１０２は、所定期間の計測データの変動と、所定期間の標準健康情報の変動とを比較し、病気の直前の兆候を示す変動があるかどうかを示す健康情報を生成してもよい。また、計測情報解析部１０２は、計測データに泣き声のパターンが含まれる場合、泣き声のパターンから健康状態を推測して、健康情報として生成してもよい。また、計測情報解析部１０２は、計測データの値から感情を推測して、健康情報として生成してもよい。また、計測情報解析部１０２は、計測データの位置情報と、推測した感情とを紐付けて、家庭内外でペットが喜ぶ場所または不快な場所を示す情報を健康情報として生成してもよい。
【００９６】
以上説明したように、計測端末３０が計測した計測データを健康管理サーバ１０に登録することが可能となる。また、健康管理サーバ１０は健康情報を生成して通信端末２０に送信することが可能となり、ユーザは通信端末２０でペットの健康情報を取得し、確認することが可能となる。
【００９７】
なお、計測端末３０の計測情報記憶部３０２に記憶されている計測データは、送信が終了すれば削除してもよい。その場合は、通信端末２０において計測データが記憶されたことをトリガとして計測端末３０で記憶されている計測データの削除を、通信端末２０が指示してもよい。この場合、計測端末３０は、当該指示を受信した後に、計測情報記憶部３０２に記憶されている計測データを削除する。
【００９８】
また、ステップＳ８０９では計測データを送信してきた通信端末２０にエラーを通知するとしたが、これに限らずに、計測端末ＩＤにリンクされることにより管理されているユーザＩＤをもつユーザの連絡先やメールアドレスにエラーを通知してもよい。
【００９９】
また、ステップＳ８０３を省略して、ユーザＩＤが正しいか否かに関わらず計測データを記憶してもよい。
【０１００】
図９は、通信端末２０に表示される健康情報の画面９００の一例である。
【０１０１】
図９に示すように、健康情報の画面９００には、ペットのタロウの最近一週間の体温を示すグラフ９１０とともに体温に関係する健康アドバイス（メッセージ）９２０が表示される。グラフ９１０は、縦軸が体温を示し、横軸が日付を示している。グラフ９１０としては、標準健康情報のうちでタロウ（つまり計測対象のペット）が該当する分類のうちから導き出される平熱の範囲９１１と、１日の体温の最高値および最低値の幅を示すバー９１２、９１３とが表示される。バー９１２、９１３のうちで、平熱の範囲９１１に収まっているバー９１２と、平熱の範囲９１１に収まっていないバー９１３とは異なる態様で表示される。健康アドバイス９２０としては、図９で示す計測対象のペットの体温が平熱の範囲９１１を超えている結果を含むため、平熱の範囲９１１を計測対象のペットの体温が超えていることに対するアドバイスが表示されている。
【０１０２】
また、例えば、図９のうちの６月１５日のバーが選択された場合、図１０のように、通信端末２０に健康情報の画面１０００を表示してもよい。
【０１０３】
図１０に示すように、健康情報の画面１０００には、ペットのタロウの６月１５日の体温を示すグラフ１０１０とともに体温に関する健康アドバイス（メッセージ）１０２０が表示される。グラフ１０１０は、縦軸が体温を示し、横軸が６月１５日の時刻を示している。グラフ１０１０としては、図９の平熱の範囲９１１と同じ平熱の範囲１０１１と、各時刻における計測対象のペットの体温を示す折れ線グラフ１０１２とが表示される。このように、計測対象のペットの体温は、所定の時間間隔（この例では３時間）で定期的に計測されている。健康アドバイス１０２０としては、図１０においても図１０と同様に、折れ線グラフ１０１２が平熱の範囲１０１１を超えているため、平熱の範囲１０１１を計測対象のペットの体温が超えていることに対するアドバイスが表示されている。
【０１０４】
（標準健康情報更新処理）
図１１は健康管理サーバ１０において、標準健康情報の更新処理を示すフローチャートである。
【０１０５】
まず、記憶部１０３に新たに計測データが記憶されたかどうかを判断し、新たな計測データがあると判断した場合にはステップＳ９０２に遷移する（ステップＳ９０１）。
【０１０６】
次に、標準健康情報更新部１０６が、新たな計測データをもとに標準健康情報を更新し、標準健康情報生成部１０７に登録する。
【０１０７】
標準健康情報更新処理のタイミングとしては、以下のようなタイミングがあるが、これに特化するものではない。
【０１０８】
つまり、計測データを受け取るたびに、標準健康情報の更新処理を実施してもよいし、定期的に標準健康情報の更新処理を実施してもよいし、新たな計測データが一定量記憶された場合に標準健康情報の更新処理を実施してもよい。
【０１０９】
以上のように標準健康情報を更新することで、常に最新の標準健康情報を保持することができるだけでなく、数多くのペットの計測データを利用すればするほど、標準健康情報をペットの種類、血統、年齢、体重、地域、位置情報、季節、天候、時間帯などで、さらに詳細に分類できるという効果がある。標準健康情報を詳細に分類できることで、さらに正確なペットの健康情報を生成できるという効果もある。
【０１１０】
なお、各フローチャートにおける処理の順序は特にこれらに限定されるものではなく、同様の結果が得られるのであれば各ステップの順番が入れ替わってもよいことは言うまでもない。
【０１１１】
また、本実施の形態では、計測端末３０が通信端末２０に計測データを送信するとしていたが、計測端末３０が健康管理サーバ１０に直接送信してもよい。
【０１１２】
（マイクロチップ）
近年、ペットの識別を行い、ペットの飼い主を特定するために、識別情報を有するマイクロチップをペットの体内に埋め込む取り組みがある。
【０１１３】
図１２はペットにマイクロチップ１２０７があることを前提として、計測端末１２００とマイクロチップ１２０７との構成を示した図である。つまり、マイクロチップ１２０７がペットの体内に埋め込まれている場合には、図１０に示すような計測端末１２００を採用してもよい。
【０１１４】
マイクロチップ１２０７は、識別情報（以下、「チップＩＤ」という）を有するチップＩＤ保持部１２０８と、チップＩＤを送信するチップＩＤ通信部１２０９とを備える。
【０１１５】
また、計測端末１２００は、上記実施の形態１の計測端末３０で説明した計測端末ＩＤ記憶部３０１、計測情報記憶部３０２、計測部３０３、計測情報通信部３０４、および計測管理部３０５の他に、チップＩＤ通信部１２０９からチップＩＤを取得するチップＩＤ読取部１２０６を備える。計測端末ＩＤ記憶部３０１、計測情報記憶部３０２、計測部３０３、計測情報通信部３０４、および計測管理部３０５は計測端末３０の構成と同様なので説明を割愛する。
【０１１６】
計測端末１２００は、計測対象のペットの生体情報を計測する際に、マイクロチップ１２０７のチップＩＤ通信部１２０９と通信することによりチップＩＤを取得する。そして、計測端末１２００は、チップＩＤ、計測端末ＩＤ、および計測データを通信端末２０に送信する。次に、通信端末２０は、チップＩＤ、計測端末ＩＤ、および計測データにユーザＩＤを合わせて健康管理サーバ１０に送信する。
【０１１７】
図１３は、マイクロチップがある場合に、ＩＤ管理部１０１におけるＩＤ管理の方法を示す図である。
【０１１８】
図１３のように、チップＩＤと計測端末ＩＤがリンクされており、さらに計測端末ＩＤとユーザＩＤがＮ対Ｎでリンクされている。ここでも計測端末１２００の故障や、ペット１体に複数の計測端末１２００を利用するユーザに対応するために、チップＩＤと計測端末ＩＤは１対Ｎで登録可能とする。
【０１１９】
以上のような構成にすることにより、ペットの個体の識別が確実となり、計測端末１２００を間違って他のペットに取り付けたとしても、チップＩＤをもとに、間違った計測データを登録することがなくなるという効果がある。
【０１２０】
なお、健康管理サーバ１０はマイクロチップを有するペットと有しないペットの両方を同時に管理することが可能である。
【０１２１】
（代行登録）
ユーザが長期の不在の場合に、ペットを親戚や友人、あるいはペットホテルに預ける場合がある。
【０１２２】
その場合に、ペットの計測データを代行登録してもらえば、ユーザは遠隔地にいても、パーソナルコンピュータやモバイル端末などでペットの健康情報を参照することが可能となる。
【０１２３】
図１４は代行登録するためのＩＤ管理方法を示す図である。
【０１２４】
健康管理システム１００に予め登録しているペットホテルであれば、ペットホテルＩＤを発行しておく。
【０１２５】
例えば代行ＩＤ＝「Ｐ１１１」は登録済みのペットホテルのペットホテルＩＤであり、ユーザが該当のペットホテルにペットを預けた場合に、予め登録済みのペットホテルＩＤ＝「Ｐ１１１」を代行ＩＤとして、チップＩＤもしくはペットＩＤに紐付ける。
【０１２６】
また、健康管理サーバ１０を利用したことの無い親戚や友人などに代行登録を依頼する場合、ユーザの要望により、ＩＤ発行部１０５が代行ＩＤを発行し、ユーザに通知する。ユーザはその代行ＩＤ、例えば、代行ＩＤ＝「Ａ００１」や「Ａ００２」などを、ペットを預ける親戚や友人に通知する。親戚や友人は自身のスマートフォンや携帯電話に代行ＩＤを入力した上で通信端末として利用することが可能となる。
【０１２７】
代行ＩＤには期限を設けることが可能であり、日付を指定するとその日付を超えれば、代行ＩＤで登録できないようにすることができる。また、期限を設けずユーザの指示により代行ＩＤでの登録をできないようにすることができる。
【０１２８】
ペットホテルごとに今までに預かったペットの種類、年齢などの情報や、ケア情報などを履歴として蓄積しておけば、ユーザはペットに適したペットホテルが選択できる。また、預けていたときのペットの感情や生体情報を蓄積することで、ペットが安心して滞在していたかどうかを確認でき、ユーザがペットホテルを再利用することが期待できる。
【０１２９】
また、健康管理システムの運営会社はペットホテルから登録料や紹介料などの報酬を得ることが期待できる。
【０１３０】
（獣医利用）
健康管理サーバ１０を獣医が利用することもある。
【０１３１】
図１５は獣医を特定する獣医ＩＤの管理を示す図である。
【０１３２】
健康管理サーバ１０を利用する獣医に、予め獣医ＩＤを発行する。ユーザは獣医で診察を受ける際に、該当獣医ＩＤに対して、該当ペットの情報を参照する権利を付与する。つまり、ＩＤ管理部１０１がチップＩＤまたはペットＩＤに獣医ＩＤを紐付けて管理する。獣医は自身の獣医ＩＤが紐付けられたペットの計測データや健康情報を参照することが可能となり、適切な処置を行うことができるという効果が期待できる。また、獣医に治療や処方された薬などの処置内容を登録できるようにすることも可能である。さらに、他の獣医がそのペットに施した処置内容を参照することも可能とすれば、獣医間の連携がスムーズに行われ、引越しなどがあっても適切な処置を継続して施すことができるという効果が期待できる。例えば、チップＩＤ＝「５５００１」のペットの情報は獣医ＩＤ＝「Ｄ００１」および「Ｄ００２」を持つ獣医がパーソナルコンピュータ、タブレット、モバイル端末などにより参照および登録することが可能となる。
【０１３３】
また、獣医が登録した処置内容は、ユーザや他の獣医でも修正できないようにすれば、処置内容の信頼度が上がる。例えば、予防接種の履歴などを改ざんされないようにするという効果がある。
【０１３４】
また、獣医は標準健康情報も参照可能とすれば、ペットの健康状態を研究に利用するといった効果が得られる。
【０１３５】
また、獣医の処置内容を履歴として管理し、ユーザから検索できるようにすれば、ペットの種類や病気の種類によって適切な獣医を選択できるという効果も得られる。
【０１３６】
この健康管理システムを運用する企業は、このシステムを利用する獣医から紹介料もしくは登録料を得るということも可能である。
【０１３７】
ユーザは有料もしくは無料で登録されている獣医からペットの健康アドバイスを受けるということも可能である。
【０１３８】
なお、ＩＤ管理部は獣医ＩＤとチップＩＤもしくはペットＩＤの紐付けを管理するだけで、処置内容などは別の記憶部や、健康管理サーバとは別のサーバに登録して、獣医ＩＤとチップＩＤまたはペットＩＤとをもとに検索、参照できるようにしてもよい。
【０１３９】
（保険会社利用）
近年ペットの生命保険などの商品が提案されており、本システムを保険会社が利用することも可能である。
【０１４０】
健康管理サーバ１０が保険会社に保険会社ＩＤを発行する。保険会社は提供する保険をユーザの通信端末２０から検索および参照できるようにする。
【０１４１】
図１６はＩＤ管理部１０１における、保険会社ＩＤと保険契約を識別する保険ＩＤおよび保険内容をチップＩＤまたはペットＩＤにリンクして管理する。例えば、チップＩＤ＝「５５００１」のペットは保険会社ＩＤ＝「Ｃ００１」の保険会社の保険を２件契約しており、また、チップＩＤ＝「６６００１」のペットは保険会社ＩＤ＝「Ｃ００２」の保険会社および保険会社ＩＤ＝「Ｃ００３」の保険会社と、それぞれ１件の保険を契約している。
【０１４２】
健康管理サーバ１０は、あるユーザに対して、ペットの種類、年齢その他の情報を元に、よく利用されている保険会社またはその保険商品を提案することを可能とする。これにより、ユーザはペットに適した保険商品を選択することができるとともに、保険会社は成約率の向上が期待できるという効果が得られる。また、この健康管理システムを利用して保険契約が成立した場合は、健康管理システムの運営会社は保険会社から成果報酬を得ることや、保険商品の提案を行った場合にも広告収入を得ることが可能となる。
【０１４３】
なお、ＩＤ管理部は保険会社ＩＤとチップＩＤまたはペットＩＤとの紐付けを管理するだけで、保険内容などは別の記憶部や、健康管理サーバとは別のサーバに登録して、保険会社ＩＤとチップＩＤまたはペットＩＤとをもとに検索、参照できるようにしてもよい。
【０１４４】
図１７は、健康管理サーバ１０の変形例である健康管理サーバ１７００の構成を示す図である。図１７に示すように、健康管理サーバ１７００は、上記実施の形態１の健康管理サーバ１０で説明したＩＤ管理部１０１、計測情報解析部１０２、記憶部１０３、通信部１０４、ＩＤ発行部１０５、標準健康情報更新部１０６、および標準健康情報生成部１０７の他に、入力情報記憶部１７０８を備える。また、健康管理サーバ１７００には、さらに、医療情報記憶部１７０９、保険情報記憶部１７１０、ペットホテル情報記憶部１７１１が接続されており、それぞれ、上記で説明したペットホテル、獣医および保険会社の情報を記憶する。これらの記憶部１７０９〜１７１１はそれぞれ独立したサーバで構築されていてもよい。上述のような場合は、チップＩＤ、ペットＩＤ、ペットホテルＩＤ、獣医ＩＤ、および保険会社ＩＤの少なくとも１つをもとに関連付けられている情報を検索することにより参照できることになる。
【０１４５】
以上のように、健康管理サーバ１０は様々な企業と連携したサービスの提供が可能であり、例としてペットホテル、獣医、および保険会社を挙げたが、これに特化するものではなく、玩具や衣装などのペット用品メーカー、ペットフードメーカーなどの企業との連携が可能である。
【０１４６】
ペット用品であれば、そのペット用品を使っているペットの種類、年齢、計測データとの相関関係を蓄積し、ユーザに提供することが可能である。
【０１４７】
ペットフードであれば、ユーザがそのペットフードを与える前に、バーコード等でペットフード情報を登録し、ペットが食事をしている際、もしくは食後の感情や生体情報などの計測データとともに蓄積する。その情報をユーザに提供することで、ユーザはペットが喜ぶペットフードや健康に適したペットフードを洗濯することが可能である。
【０１４８】
本システムの運営会社はそれぞれから広告料や成果報酬を得ることが期待できる。
【０１４９】
また、ユーザは通信端末２０を利用して、撮影した写真、コメント、日記、ブログなどを健康管理サーバ１０に登録することが可能であり、ユーザが希望すれば、その他のユーザに公開することが可能である。また、それらの情報はさらに、Ｔｗｉｔｔｅｒ（登録商標）やＦａｃｅｂｏｏｋ（登録商標）など別のサービスに連携して登録することも可能である。
【０１５０】
なお、マイクロチップ１２０７のチップＩＤは計測端末１２００のチップＩＤ読取部１２０６が取得するとしたが、通信端末２０にチップＩＤ読取部を設け、通信端末２０がマイクロチップ１２０７からチップＩＤを取得してもよい。
【０１５１】
なお、上記実施の形態１では、健康管理方法の処理ステップとして様々なステップが含まれるが、図１８に示すようなフローチャートを少なくとも含んでいれば、本発明に含まれる。
【０１５２】
つまり、健康管理方法は、少なくとも次の４つのステップを含んでいればよい。
【０１５３】
まず、複数のペットのそれぞれについて、複数の計測端末３０のうちで当該ペットに対応する動物用計測端末が当該動物の生体情報を計測する（Ｓ１８０１：計測ステップ）。
【０１５４】
次に、複数のペットのそれぞれについて、ステップＳ１８０１において計測された当該ペットの生体情報を取得する（Ｓ１８０２：取得ステップ）。
【０１５５】
次に、健康管理サーバ１０が複数のペットのそれぞれについて、ステップＳ１８０２において取得した複数のペットの生体情報に基づいて複数のペットの標準的な健康状態を示す動物用健康情報を生成する（Ｓ１８０３：生成ステップ）。
【０１５６】
次に、複数のペットのそれぞれについて、ステップＳ１８０３において生成された動物用健康情報と、ステップＳ１８０１において計測された当該ペットの生体情報とを比較することにより、当該ペットの健康状態を評価する（Ｓ１８０４：評価ステップ）。
【０１５７】
次に、ステップＳ１８０４において評価された当該ペットの健康状態の評価結果を表示部２０１に表示する（Ｓ１８０５：表示ステップ）。
【０１５８】
（実施の形態２）
図１９は、本発明の実施の形態２における健康管理システムの要部を示すブロック図である。
【０１５９】
図１９に示すように、本実施の形態２における健康管理システム１９００は、ペット（動物）用計測端末１９３０と、ヒト用計測端末１９４０と、通信端末１９２０と、健康管理サーバ１９１０を備える。ペット用計測端末１９３０は、計測対象となるペットの生体情報または行動履歴を計測データとして取得し、取得した計測データを通信端末１９２０に送信する。ヒト用計測端末１９４０は、ペット用計測端末１９３０の計測対象となるペットの飼い主の生体情報または行動履歴を計測データとして取得し、取得した計測データを通信端末１９２０に送信する。通信端末１９２０は、ペット用計測端末１９３０またはヒト用計測端末１９４０から受信した計測データを健康管理サーバ１９１０に送信する。健康管理サーバ１９１０は、受信した計測データから健康状態を判断し、判断した健康状態を示す健康情報を通信端末１９２０に通知する。
【０１６０】
それぞれの構成要素について、さらに説明する。
【０１６１】
（計測端末）
図２０はペット用計測端末１９３０の構成の要部を示すブロック図である。
【０１６２】
ペット用計測端末１９３０は、計測端末ＩＤ記憶部３０１、計測情報記憶部３０２、計測部３０３、計測情報通信部３０４、および計測管理部３０５の他に、現在位置を計測する位置情報計測部１９３６を備える。計測端末ＩＤ記憶部３０１、計測情報記憶部３０２、計測部３０３、計測情報通信部３０４、および計測管理部３０５以外の構成は計測端末３０と同様であるため説明は割愛する。位置情報計測部１９３６は、ペット用計測端末１９３０の位置を計測可能であり、ペット用計測端末１９３０が移動した位置と、当該位置を取得した時刻とが関連付けられた位置情報を取得する。取得された位置情報は、計測情報記憶部３０２に記憶される。
【０１６３】
図２１はヒト用計測端末１９４０の構成の要部を示すブロック図である。
【０１６４】
ヒト用計測端末１９４０は、計測端末ＩＤ記憶部３０１、計測情報記憶部３０２、計測情報通信部３０４、計測管理部３０５、および位置情報計測部１９３６の他に、少なくともヒトの活動量を含む生体情報または行動履歴を計測する計測部１９４３を備える。計測端末ＩＤ記憶部３０１、計測情報記憶部３０２、計測情報通信部３０４、計測管理部３０５、および位置情報計測部１９３６以外の構成はペット用計測端末１９３０と同様であるため説明は割愛する。
【０１６５】
つまり、複数のヒトのそれぞれについて、複数のヒト用計測端末１９４０のうちで当該ヒトに対応するヒト用計測端末１９４０が当該ヒトの生体情報を計測する。
【０１６６】
（通信端末）
図２２は通信端末１９２０の構成の要部を示すブロック図である。
【０１６７】
通信端末１９２０は、表示部２０１、通信部２０３、記憶部２０４、および入力部２０５の他に、ペット用計測端末１９３０と通信を行い、少なくともペットの計測データとペット用計測端末ＩＤを取得するペット計測情報取得部１９２２と、ヒト用計測端末１９４０と通信を行い、少なくともヒトの計測データとヒト用計測端末ＩＤを取得するヒト計測情報取得部１９２６とを備える。記憶部２０４は、ユーザＩＤ、各計測端末ＩＤ、各計測データおよび健康情報を記憶する。通信部２０３は、ユーザＩＤ、各計測端末ＩＤ、各計測データを健康管理サーバ１９１０に送信し、健康管理サーバ１９１０から健康情報を受信する。表示部２０１および入力部２０５は、通信端末２０と同様の構成であるため説明は割愛する。
【０１６８】
つまり、複数のペットのそれぞれについて、計測された当該ペットの生体情報を取得する。このとき、ペットの生体情報は、複数の通信端末１９２０のうちで動物用計測端末に対応する対応通信端末により取得されてもよい。また、当該対応通信端末は、取得した当該ペットの生体情報を健康管理サーバ１０に送信してもよい。また、同様に、複数のヒトのそれぞれについて、計測された当該ヒトの生体情報を取得する。このとき、ヒトの生体情報は、複数の通信端末１９２０のうちでヒト用計測端末１９４０およびペット用計測端末１９３０に対応する対応通信端末により取得されてもよい。また、当該対応通信端末は、取得した当該ヒトの生体情報を健康管理サーバ１０に送信してもよい。
【０１６９】
（健康管理サーバ）
図２３は健康管理サーバ１９１０の構成の要部を示すブロック図である。
【０１７０】
健康管理サーバ１９１０は、ＩＤ管理部１０１、計測情報解析部１０２、記憶部１０３、通信部１０４、ＩＤ発行部１０５、標準健康情報更新部１０６、および標準健康情報生成部１０７の他に、提案情報生成部１９１８を備える。記憶部１０３は、ペットＩＤおよびペット計測データ（ペットの計測データ）を記憶するとともに、ユーザＩＤおよびヒト計測データ（ヒトの計測データ）を記憶する。ＩＤ管理部１０１は、ユーザＩＤ、ヒト用計測端末ＩＤ、ペット用計測端末ＩＤおよびペットＩＤのリンク関係を管理する。
【０１７１】
標準健康情報生成部１０７は、ペットの標準健康情報およびヒトの標準健康情報を記憶する。つまり、標準健康情報生成部１０７は、複数のペットのそれぞれについて対応通信端末により送信された当該ペットの生体情報を示す計測データを取得してもよい。そして、標準健康情報生成部１０７は、取得した複数のペットの計測データに基づいて複数の動物の標準的な健康情報を示す動物用健康情報（ペットの標準健康情報）を生成する。また、標準健康情報生成部１０７は、複数のヒトのそれぞれについて対応通信端末により送信された当該ヒトの生体情報を取得する。そして、標準健康情報生成部１０７は、取得した複数のヒトの生体情報に基づいて複数のヒトの標準的な健康状態を示すヒト用健康情報（ヒトの標準健康情報）を生成する。
【０１７２】
計測情報解析部１０２は、ペット計測データとペットの標準健康情報とを比較することにより解析し、ペットの健康情報を生成し、かつ、ヒト計測データとヒトの標準健康情報とを比較することにより解析し、ヒトの健康情報を生成する。つまり、計測情報解析部１０２は、複数のペットのそれぞれについて、標準健康情報生成部１０７で生成されたペットの標準健康情報と、記憶部１０３に記憶された当該ペットの計測データとを比較することにより、当該ペットの健康状態を評価する。また、計測情報解析部１０２は、複数のヒトのそれぞれについて、標準健康情報生成部１０７で生成されたヒトの標準健康情報と、記憶部１０３に記憶された当該ヒトの計測データとを比較することにより、当該ヒトの健康状態を評価する。
【０１７３】
提案情報生成部１９１８は、ペットの健康情報およびヒトの健康情報からユーザに対してユーザおよびそのペットの健康に関する提案情報を生成する。標準健康情報更新部１０６は、新たに計測されたペット計測データおよびヒト計測データをもとにペットの標準健康情報およびヒトの標準健康情報をそれぞれ更新する。つまり、ペット用計測端末１９３０により計測されたペットの計測データおよびヒト用計測端末１９４０により計測されたヒトの計測データに基づいて、ペットの健康状態およびヒトの健康状態を向上させるための提案情報を生成し、当該提案情報を当該ヒトであるユーザに提示する。
【０１７４】
ペットの標準健康情報とは本願の実施の形態１で記載したものと同様である。さらに、実施の形態２では、生体情報および行動履歴として位置情報および活動量の変化を蓄積している。
【０１７５】
ヒトの標準健康情報とは、ヒトの標準的な健康のための情報である。例えば、平常時の体温、脈拍数、呼吸数、１日に必要なカロリー、１日に必要な活動量など健康の指針となる生体情報に基づいて生成される。さらに、生体情報および行動履歴として位置情報および活動量の変化を蓄積している。また、病気やその兆候情報なども管理されている。また性別、年齢、体重、地域、位置情報、季節、天候、時間帯などとともに標準健康情報が管理されていてもよい。
【０１７６】
図２４は、健康管理サーバ１９１０のＩＤ管理部１０１が各ＩＤを管理する方法を示す図である。図２４に示すように、ユーザＩＤ、ヒト用計測端末ＩＤ、ペット用計測端末ＩＤおよびペットＩＤのリンク関係を管理する。この場合、複数のヒト用計測端末を利用できるように、ユーザＩＤおよびヒト用計測端末ＩＤは１対Ｎで登録可能である。また、同様にペットＩＤおよびペット用計測端末ＩＤは１対Ｎで登録可能である。さらにペット用計測端末ＩＤおよびユーザＩＤはＮ対Ｎで登録可能である。
【０１７７】
以上のように構成される健康管理システムにおいて、ヒトおよびペットの計測データおよび標準健康情報をもとに健康に関する提案情報を生成する方法を説明する。
【０１７８】
（提案処理）
図２５は提案情報を生成する処理のフローチャートである。
【０１７９】
まず、健康管理サーバ１９１０は、計測情報記憶部３０２に現在時刻から所定の時間内に取得したペット計測データが存在するか否かを判定する。現在時刻から所定の時間内に取得したペット計測データが存在すれば（Ｓ２５０１：Ｙｅｓ）、ステップＳ２５０３に遷移する。存在しなければ（Ｓ２５０１：Ｎｏ）、ステップＳ２５０２に遷移する（ステップＳ２１０１）。
【０１８０】
ステップＳ２５０１でペット計測データが存在しないと判断された場合（Ｓ２５０１：Ｎｏ）、通信端末１９２０にペット計測データを取得するよう通知する（ステップＳ２５０２）。
【０１８１】
ステップＳ２５０１でペット計測データが存在すると判断した場合（Ｓ２５０１：Ｙｅｓ）、計測情報記憶部３０２に現在時刻から所定の時間内に取得したヒト計測データが存在するか否かを判定する。現在時刻から所定の時間内に取得したヒト計測データが存在すれば（Ｓ２５０３：Ｙｅｓ）、ステップＳ２５０４に遷移する。存在しなければ（Ｓ２５０３：Ｎｏ）、ステップＳ２５０５に遷移する（ステップＳ２５０３）。
【０１８２】
ステップＳ２５０３でヒト計測データが存在しないと判断された場合（Ｓ２５０３：Ｎｏ）、通信端末１９２０にヒト計測データを取得するよう通知する（ステップＳ２５０４）。
【０１８３】
ステップＳ２５０３でヒト計測データが存在すると判断した場合（Ｓ２５０３：Ｙｅｓ）、計測情報解析部１０２がペット計測データ、ペットの標準健康情報、ヒト計測データおよびヒトの標準健康情報をもとにそれぞれの健康情報を生成する（ステップＳ２５０５）。
【０１８４】
次に、提案情報生成部１９１８がそれらの健康情報から提案情報を生成する（ステップＳ２５０６）。
【０１８５】
次に、提案情報を通信端末１９２０に送信して、通信端末１９２０がユーザに提示して終了する（ステップＳ２５０７）。
【０１８６】
提案情報とは以下のような例が挙げられる。
【０１８７】
その日のペットの活動量から、健康のためにあとどの程度の活動量が必要かを算出し、また、同様にその日のユーザの活動量から、健康のためにあとどの程度の活動量が必要かを算出する。また、ペットとヒトそれぞれの標準健康情報として、それぞれどの区間を散歩すればどの程度の活動量になるかを管理しており、ペットとヒトの必要な活動量から適切な散歩ルートを導き出して、そのルートを提案情報としてユーザに提示するといったことが可能となる。
【０１８８】
つまり、健康管理サーバ１９１０は、ペット用計測端末１９３０により計測された当該動物の生体情報または行動履歴から当該ペットの活動量を算出し、かつ、ヒト用計測端末１９４０により計測された当該ヒトの生体情報または行動履歴から当該ヒトの活動量を算出してもよい。なお、この活動量の算出は通信端末１９２０が行ってもよい。また、ペットまたはヒトの活動量の算出には、ペットまたはヒトが移動した距離を用いてもよい。そして、提案情報生成部１９１８は、提案情報として、ペットの活動量およびヒトの活動量に応じた距離の散歩ルートを生成し、当該ヒトであるユーザに提示してもよい。
【０１８９】
図２６〜２８を用いて、提示する提案情報の具体例を説明する。
【０１９０】
図２６は、通信端末１９２０に表示される提示情報の画面２６００の一例である。
【０１９１】
図２６に示すように、提示情報の画面２６００には、ペットのタロウとその飼い主との最近一週間の歩いた歩数を示すグラフ２６１０とともに歩数に関係する健康アドバイス（メッセージ）２６２０が表示される。グラフ２６１０は、縦軸が歩数を示し、横軸が日付を示している。グラフ２６１０としては、標準健康情報のうちでタロウ（つまり計測対象のペット）が該当する分類のうちから導き出されるペットのタロウの目標歩数と、標準健康情報のうちで飼い主（つまり計測対象のヒト）が該当する分類のうちから導き出される飼い主の目標歩数と、１日に歩いたペットのタロウの歩数およびその飼い主の歩数とが表示される。これにより、１日の活動量を歩数に換算した場合のペットのタロウの歩数およびその飼い主の歩数がそれぞれの目標歩数に達しているか否かが分かる。また、健康アドバイス２６２０としては、図２６で示す本日（６月１７日）の歩数がペットもその飼い主も目標歩数に到達していない結果であるため、ペットの散歩をするように促すアドバイスが表示されている。
【０１９２】
また、例えば、図２６のうちの６月１７日のバーが選択された場合、図２７のように、通信端末１９２０に提示情報の画面２７００を表示してもよい。
【０１９３】
図２６に示すように、提示情報の画面２７００には、ペットのタロウおよびその飼い主の本日（６月１７日）の歩数２７１１、２７１２と目標歩数２７１３、２７１４とともに、歩数に関する健康アドバイス（メッセージ）２７２０が表示される。なお、健康アドバイス２７２０としては、図２７においても図２６と同様に、本日（６月１７日）の歩数がペットもその飼い主も目標歩数に到達していない結果であるため、ペットの散歩をするように促すアドバイスが表示されている。
【０１９４】
また、図２８に示すように、さらに、散歩ルートを提案情報として提示してもよい。
【０１９５】
図２８は、通信端末１９２０に表示される提示情報の画面２８００の一例である。
【０１９６】
図２６および図２７で健康度バイスとして１０分間の散歩が勧められているが、これと合わせて、１０分間の運動となるような散歩ルートを提案してもよい。
【０１９７】
また、計測情報記憶部３０２に記憶されているペットの計測データから、ペットがどの区間を散歩したときに喜んでいたかを導き出して、そのルートを提案情報としてもよい。
【０１９８】
例えば、図２９に示すように、今までにペットを散歩したルートにおいて、当該ペットが喜んでいたと判定された位置を特定することで、特定された位置を含むような散歩ルートを提案するようにしてもよい。図２９は、自宅周辺の地図２９１０を示しており、過去にペットが喜んでいた位置２９１１を示している。散歩ルートを提案情報として生成する時に、このようなペットが過去に喜んでいたと判定された位置を含む散歩ルートであって、１０分間の散歩ルートを図２８のように提案するようにしてもよい。
【０１９９】
つまり、以下のような処理の流れで、上記の提案情報がユーザに提示されることになる。複数のペットのそれぞれについて、ペット用計測端末１９３０が、ペットの生態情報を計測したタイミングにおける当該ペットの位置を計測している。そして、複数のペットのそれぞれについて対応通信端末により計測された当該ペットの位置を示す位置情報を取得し、取得した当該位置情報を健康管理サーバ１９１０に送信する。次に、計測されたペットの生態情報に基づいて、ペットが喜んでいる状態であるか否かを判断する。そして、ペットが喜んでいる状態であると判断された時のペットの生態情報が計測されたタイミングにおける位置情報に基づいて、当該位置情報が示す位置を含む散歩ルートを生成し、ヒトであるユーザに提案する。
【０２００】
また、ペットの活動量とその飼い主の活動量とのうちで必要な活動量の低いほうを基準に散歩ルートを導き出して、提案情報としてもよい。
【０２０１】
そしてさらに、散歩中に活動量の多く必要な散歩ルートに変更して提案情報を通知するなどが可能である。これは、最初は簡単で時間のあまりかからないような散歩ルートを提案して、ユーザを散歩に誘い、散歩の途中で気分が昂ぶってくると思われるタイミングで、少し長めの散歩ルートに変更するという利用が可能であり、ユーザの健康促進に繋がるという効果がある。
【０２０２】
また、ヒトもしくはペットの体調が悪いと判断した場合には、散歩ではなく、体調が悪くないほうの運動を提案情報として生成する。例えば、ペットであれば、特定の遊具で遊ぶように提案するなどがあり、ヒトの場合には屋内でできるトレーニングメニューを提案情報として生成する。こうすることにより、体調の悪いペットおよびヒトに無理な運動をさせる必要がなく、体調が良い側には必要な運動を促し、お互いの健康を向上させるという効果がある。
【０２０３】
また、ヒトまたはペットの持病またはアレルギーなどを示す持病情報を取得することで、当該ヒトまたは当該ペットが持病情報が示す病気またはアレルギーによる影響を受けないように、行動を制限するための提案を提案情報として提示してもよい。
【０２０４】
また、天気予報を取得し、明日雨なら、活動量が多く必要な散歩ルートを提案情報としてもよい。
【０２０５】
また、過去の計測データや、その他のユーザの計測データをもとに、そのペットの苦手なペット種別を特定し、その種別のペットの通る時間帯やルートを避けるようなルートを提案情報としてもよい。また、苦手なペットの現在の位置情報を取得できれば、当該位置情報で示される位置を散歩ルートから外すようにしてもよい。
【０２０６】
また、ユーザの希望により、ペットがたくさん集まっている場所や時間を避ける散歩ルートや、またはそこに誘導するような散歩ルートを提案情報としてもよい。
【０２０７】
また、ペット種別、体調、年齢により散歩ルートを提案情報としてもよい。例えば、高い段差の苦手な小型犬や、高齢の犬などには平地の多い散歩ルートを提案情報としてもよい。また、ユーザが高齢の場合や足が不自由な場合に平地の多い散歩ルートを提案情報とするなど、ペットやユーザに適した提案情報を生成することが可能である。
【０２０８】
また、家族など複数のユーザが同じペットの世話をしている場合に、最も活動量の必要なユーザにペットの散歩を提案するなども可能となり、家族の健康促進が期待できる。
【０２０９】
また、最も健康なユーザにペットの散歩を提案するということも可能となる。
【０２１０】
以上のように、本実施の形態によれば、ペット計測データ、ヒト計測データ、ペットの標準健康情報およびヒトの標準健康情報を利用して、ペットとユーザに適した提案情報を生成することが可能となる。
【０２１１】
また、ユーザは通信端末２０を利用して、撮影した写真、コメント、日記、ブログなどを健康管理サーバ１０に登録することが可能であり、ユーザが希望すれば、その他のユーザに公開することが可能である。また、提案情報を含めた、これらの情報はさらに、Ｔｗｉｔｔｅｒ（登録商標）やＦａｃｅｂｏｏｋ（登録商標）など別のＷｅｂサービスに連携して登録することも可能である。
【０２１２】
なお、本発明を上記実施の形態に基づいて説明してきたが、本発明は、上記の実施の形態に限定されないのはもちろんである。以下のような場合も本発明に含まれる。
【０２１３】
（１）上記の各装置は、具体的には、マイクロプロセッサ、ＲＯＭ、ＲＡＭ、ハードディスクユニット、ディスプレイユニット、キーボード、マウスなどから構成されるコンピュータシステムである。前記ＲＡＭまたはハードディスクユニットには、コンピュータプログラムが記憶されている。前記マイクロプロセッサが、前記コンピュータプログラムにしたがって動作することにより、各装置は、その機能を達成する。ここでコンピュータプログラムは、所定の機能を達成するために、コンピュータに対する指令を示す命令コードが複数個組み合わされて構成されたものである。なお、各装置は、マイクロプロセッサ、ＲＯＭ、ＲＡＭ、ハードディスクユニット、ディスプレイユニット、キーボード、マウスなどの全てを含むコンピュータシステムには限らず、これらの一部から構成されているコンピュータシステムであってもよい。
【０２１４】
（２）上記の各装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。前記ＲＡＭには、コンピュータプログラムが記憶されている。前記マイクロプロセッサが、前記コンピュータプログラムにしたがって動作することにより、システムＬＳＩは、その機能を達成する。
【０２１５】
また、上記の各装置を構成する構成要素の各部は、個別に１チップ化されていてもよいし、一部又は全てを含むように１チップ化されてもよい。
【０２１６】
また、ここでは、システムＬＳＩとしたが、集積度の違いにより、ＩＣ、ＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサーを利用してもよい。
【０２１７】
さらには、半導体技術の進歩又は派生する別技術によりＬＳＩに置き換わる集積回路化の技術が登場すれば、当然、その技術を用いて機能ブロックの集積化を行ってもよい。バイオ技術の適用等が可能性としてありえる。
【０２１８】
（３）上記の各装置を構成する構成要素の一部または全部は、各装置に脱着可能なＩＣカードまたは単体のモジュールから構成されているとしてもよい。前記ＩＣカードまたは前記モジュールは、マイクロプロセッサ、ＲＯＭ、ＲＡＭなどから構成されるコンピュータシステムである。前記ＩＣカードまたは前記モジュールは、上記の超多機能ＬＳＩを含むとしてもよい。マイクロプロセッサが、コンピュータプログラムにしたがって動作することにより、前記ＩＣカードまたは前記モジュールは、その機能を達成する。このＩＣカードまたはこのモジュールは、耐タンパ性を有するとしてもよい。
【０２１９】
（４）本発明は、上記に示す方法であるとしてもよい。また、これらの方法をコンピュータにより実現するコンピュータプログラムであるとしてもよいし、前記コンピュータプログラムからなるデジタル信号であるとしてもよい。
【０２２０】
また、本発明は、前記コンピュータプログラムまたは前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ（登録商標）  Ｄｉｓｃ）、半導体メモリなどに記録したものとしてもよい。また、これらの記録媒体に記録されている前記デジタル信号であるとしてもよい。
【０２２１】
また、本発明は、前記コンピュータプログラムまたは前記デジタル信号を、電気通信回線、無線または有線通信回線、インターネットを代表とするネットワーク、データ放送等を経由して伝送するものとしてもよい。
【０２２２】
また、本発明は、マイクロプロセッサとメモリを備えたコンピュータシステムであって、前記メモリは、上記コンピュータプログラムを記憶しており、前記マイクロプロセッサは、前記コンピュータプログラムにしたがって動作するとしてもよい。
【０２２３】
また、前記プログラムまたは前記デジタル信号を前記記録媒体に記録して移送することにより、または前記プログラムまたは前記デジタル信号を前記ネットワーク等を経由して移送することにより、独立した他のコンピュータシステムにより実施するとしてもよい。
【０２２４】
（５）上記の各装置を構成する構成要素の一部または全部は仮想化技術の上に構築されるとしてもよい。
【０２２５】
（６）上記実施の形態及び上記変形例をそれぞれ組み合わせるとしてもよい。
【産業上の利用可能性】
【０２２６】
本発明にかかる健康管理システムは、ペットやヒトの健康管理として有用であり、それらの健康情報を利用して獣医、保険会社、ペットホテルなどの第三者への情報提供システムとしても有用である。
【符号の説明】
【０２２７】
１０、１９１０、１７００  健康管理サーバ
２０、１９２０  通信端末
３０、１２００  計測端末
１００、１９００  健康管理システム
１０１  ＩＤ管理部
１０２、１６１２  計測情報解析部
１０３、１６１３  記憶部
１０４  通信部
１０５  ＩＤ発行部
１０６、１６１６  標準健康情報更新部
１０７、１６１７  標準健康情報生成部
２０１  表示部
２０２  計測情報取得部
２０３  通信部
２０４  記憶部
２０５  入力部
３０１  計測端末ＩＤ記憶部
３０２  計測情報記憶部
３０３  計測部
３０４  計測情報通信部
３０５  計測管理部
１２０６  チップＩＤ読取部
１２０７  マイクロチップ
１２０８  保持部
１２０９  通信部
１７０８  入力情報記憶部
１７０９  医療情報記憶部
１７１０  保険情報記憶部
１７１１  ペットホテル情報記憶部
１９１８  提案情報生成部
１９２２  ペット計測情報取得部
１９２６  ヒト計測情報取得部
１９３０  ペット用計測端末
１９３６  位置情報計測部
１９４０  ヒト用計測端末
１９４３  計測部
【図１】
2014050118.tif 000003
【図２】
2014050118.tif 000004
【図３】
2014050118.tif 000005
【図４】
2014050118.tif 000006
【図５】
2014050118.tif 000007
【図６】
2014050118.tif 000008
【図７】
2014050118.tif 000009
【図８】
2014050118.tif 000010
【図９】
2014050118.tif 000011
【図１０】
2014050118.tif 000012
【図１１】
2014050118.tif 000013
【図１２】
2014050118.tif 000014
【図１３】
2014050118.tif 000015
【図１４】
2014050118.tif 000016
【図１５】
2014050118.tif 000017
【図１６】
2014050118.tif 000018
【図１７】
2014050118.tif 000019
【図１８】
2014050118.tif 000020
【図１９】
2014050118.tif 000021
【図２０】
2014050118.tif 000022
【図２１】
2014050118.tif 000023
【図２２】
2014050118.tif 000024
【図２３】
2014050118.tif 000025
【図２４】
2014050118.tif 000026
【図２５】
2014050118.tif 000027
【図２６】
2014050118.tif 000028
【図２７】
2014050118.tif 000029
【図２８】
2014050118.tif 000030
【図２９】
2014050118.tif 000031
【図３０】
2014050118.tif 000032
【国際調査報告】
2014050118.tif 000033
2014050118.tif 000034
2014050118.tif 000035
2014050118.tif 000036